(57)【要約】【課題】分別廃棄に適した液体噴出ポンプであって、コンパクトな構成とすることができるとともに体裁も良いものを提供する。【解決手段】液体吸上げ用の主筒６から、射出筒１４及びシリンダ１６を上下２段に前方突出し、この射出筒の前半部にトリガー２０の上端部を枢着させるとともに、このトリガー２０の中間部を、シリンダ１６内で前後方向に摺動するプランジャ１８に連結し、このプランジャを前方に付勢させることで、上記トリガーの操作により液体を噴出可能に設けたトリガー式液体噴出ポンプにおいて、上記トリガー２０と射出筒１４前半部とを連係する合成樹脂製の弾性片３０を設け、上記トリガー２０を引くことで弾性片３０が弾性変形するとともにプランジャ１８が後退し、トリガーを解放することで弾性片３０が弾性復元してプランジャ１８を前方へ牽引するように構成した。【選択図】  図１
2008030006.tif 000002
【特許請求の範囲】
【請求項１】
液体吸上げ用の主筒６から、射出筒１４及びシリンダ１６を上下２段に前方突出し、
この射出筒の前半部にトリガー２０の上端部を枢着させるとともに、このトリガー２０の中間部を、シリンダ１６内で前後方向に摺動するプランジャ１８に連結し、このプランジャを前方に付勢させることで、上記トリガーの操作により液体を噴出可能に設けたトリガー式液体噴出ポンプにおいて、
上記トリガー２０と射出筒１４前半部とを連係する合成樹脂製の弾性片３０を設け、上記トリガー２０を引くことで弾性片３０が弾性変形するとともにプランジャ１８が後退し、トリガーを解放することで弾性片３０が弾性復元してプランジャ１８を前方へ牽引するように構成したことを特徴とする、トリガー式液体噴出ポンプ。
【請求項２】
上記トリガー２０は、操作桿２４の上端部左右両側から起立する一対の支持腕２５、２５の上端部を、上記射出筒１４前半部左右両側に枢着させてなり、
上記操作桿２４は、上下に長い桿本体２４ａの前面の長手方向に沿って帯板２４ｂを組み込ませてなり、
この帯板の上端部に上記弾性片３０を連続させて、これら帯板２４ｂと弾性片３０とを柔軟な弾性材料で一体に成形したことを特徴とする、請求項１記載のトリガー式液体噴出ポンプ。
【請求項３】
上記操作桿２４の上端部から突出した逆Ｕ字形の弾性片３０を、トリガー２０の枢着箇所２１よりも前方の射出筒部分の上面側に係止したことを特徴とする、請求項２記載のトリガー式液体噴出ポンプ。
【請求項４】
上記弾性片３０として、上記操作桿２４の上端から弾性屈曲板を起立し、この弾性屈曲板と上記射出筒１４の下部とに、相互に嵌合可能な突起部４２及び係合凹部４０を形成したことを特徴とする、請求項２記載のトリガー式液体噴出ポンプ。
【請求項５】
上記帯板２４ｂは、滑り止めとしての機能を有することを特徴とする、請求項２乃至請求項４の何れかに記載のトリガー式液体噴出ポンプ。
【発明の詳細な説明】
【技術分野】
【０００１】
本発明は、トリガー式液体噴出ポンプに関する。
【背景技術】
【０００２】
この種トリガー式液体噴出器では、従来、トリガーの引寄せによりプランジャがシリンダ内で後退するとともに、トリガーの解放により、シリンダに内装させた金属製スプリングで上記プランジャが前進するようなものが知られているが、近年は、分別廃棄の必要から、金属製の部品を使用しないようにすることが望まれている。そこで上記金属製スプリングに代えて、トリガー後面とシリンダとの間に弾性バネを架設したり（特許文献１）、トリガーの上端部から後方に弾性板を延出し、この弾性板の後端部を液体噴出器の左右両面後部に連結した構造（特許文献２）が知られている。
【特許文献１】特開平10−235245号
【特許文献２】特開平11−042451号
【発明の開示】
【発明が解決しようとする課題】
【０００３】
特許文献１のものでは、弾性バネが外部から見えて体裁を損なうとともに、トリガーと別個に弾性バネをポンプ本体に組み付けるから組み立てが面倒である。また特許文献２のものでは、弾性板を含むトリガーの構造全体が大きくなり、液体噴出器全体として嵩張ることになる。
【０００４】
本発明は、分別廃棄に適した液体噴出ポンプであって、コンパクトな構成とすることができるとともに体裁も良いものを提供することを主たる目的とし、併せて組み立てが容易であり、簡易な構成で確実な動作が得られ、また耐久性の良いものとすることを目的とする。
【課題を解決するための手段】
【０００５】
第１の手段は、
液体吸上げ用の主筒６から、射出筒１４及びシリンダ１６を上下２段に前方突出し、
この射出筒の前半部にトリガー２０の上端部を枢着させるとともに、このトリガー２０の中間部を、シリンダ１６内で前後方向に摺動するプランジャ１８に連結し、このプランジャを前方に付勢させることで、上記トリガーの操作により液体を噴出可能に設けたトリガー式液体噴出ポンプにおいて、
上記トリガー２０と射出筒１４前半部とを連係する合成樹脂製の弾性片３０を設け、上記トリガー２０を引くことで弾性片３０が弾性変形するとともにプランジャ１８が後退し、トリガーを解放することで弾性片３０が弾性復元してプランジャ１８を前方へ牽引するように構成している。
【０００６】
本手段は、トリガーと射出筒の前半部との間に弾性片を連係させることで、プランジャ付勢手段としている。弾性変形の態様としては、トリガーの引手（操作桿）の上部と射出筒の上面との間に架け渡された弾性片の伸長変形、或いは引手の上端と射出筒の下部との間に介在させた弾性片の屈曲又は圧縮変形とすることができる。
【０００７】
第２の手段は、第１の手段を有し、かつ
上記トリガー２０は、操作桿２４の上端部左右両側から起立する一対の支持腕２５、２５の上端部を、上記射出筒１４前半部左右両側に枢着させてなり、
上記操作桿２４は、上下に長い桿本体２４ａの前面の長手方向に沿って帯板２４ｂを組み込ませてなり、
この帯板の上端部に上記弾性片３０を連続させて、これら帯板２４ｂと弾性片３０とを柔軟な弾性材料で一体に成形している。
【０００８】
本手段では、予め弾性片をトリガーに対して一体的に組み付けるとともに、このトリガーへの弾性片の連結部として、帯板を上下に長いトリガーの操作桿本体の前面に組み込むことで、弾性片をトリガーに確実に連結している。帯板の組み込みの方法としては、インモールド成形が望ましいが、操作桿本体と帯板とを接着（又は溶着）しても構わない。帯板は、滑り止めとしての機能を有することが望ましい。
【０００９】
第３の手段は、第２の手段を有し、かつ
上記操作桿２４の上端部から突出した逆Ｕ字形の弾性片３０を、トリガー２０の枢着箇所２１よりも前方の射出筒部分の上面側に係止している。
【００１０】
本手段では、操作桿の上端から突出した逆Ｕ字形の弾性片を射出筒の前半部上面に係止したシンプルな構造であるので、機械的な誤作動を生じ難い。また、操作桿の上端から射出筒の上面に亘って弾性片を設けており、この部分は通常フードで覆われるので体裁を損なわない。弾性片はエラストマーで形成すると良い。
【００１１】
第４の手段は、第２の手段を有し、かつ
上記弾性片３０として、上記操作桿２４の上端から弾性屈曲板を起立し、この弾性屈曲板と上記射出筒１４の下部とに、相互に嵌合可能な突起部４２及び係合凹部４０を形成している。
【００１２】
本手段では、弾性片として、操作桿から起立した弾性屈曲板を用いているので、弾性材料として伸び変形をする材料を選択しなくても良いので、設計上の自由度が大きいとともに、弾性疲労の度合いも少ない。
【００１３】
第５の手段は、第２の手段乃至第４の手段の何れかを有し、かつ
上記帯板２４ｂは、滑り止めとしての機能を有している。
【００１４】
このためには、帯板を摩擦抵抗の大きいエラストマー乃至ゴムで形成することができる。
【発明の効果】
【００１５】
第１の手段に係る発明によれば、プランジャの付勢手段として合成樹脂製の弾性片としたから、分別廃棄に有利であり、更にその弾性片がトリガー２０と射出筒１４前半部を連係するように設けたから、プランジャ付勢手段をトリガーと射出筒前半部との間でコンパクトにかつ体裁良く形成することができる。
【００１６】
第２の手段に係る発明によれば、次の効果を奏する。
○弾性片３０をトリガー２０に一体的に連結したから、ポンプに対する弾性片及びトリガーの取り付けが容易となり、便利である。
○弾性片の連結部として帯板をトリガーの操作桿本体前面に沿って上下に長く取り付けたから、取り付け箇所を長くとることができ、トリガー操作時の外力に抗して確実に取り付けることができる。
【００１７】
第３の手段に係る発明によれば、逆Ｕ字形の弾性片３０を射出筒１４前半部に係止したから、射出筒への弾性片３０の取付けが容易である。
【００１８】
第４の手段に係る発明によれば、係合凹部４０内に突起部４２を差し込むから、シリンダ１６への弾性片３０の取付けが更に容易となる。
【００１９】
第５の手段に係る発明によれば、帯板２４ｂは、滑り止めとなるので、使い勝手が良い。
【発明を実施するための最良の形態】
【００２０】
図１及び図２は、本発明のトリガー式液体噴出ポンプの第１実施形態の構成を示している。
【００２１】
まずこれらの構成のうち、公知の部分について説明する。この液体噴出ポンプは、容器体口頸部への装着筒２を有し、この装着筒の上端開口に嵌合させた有頂の連結筒４の上面から上端閉塞の主筒６を起立している。図示例では、この主筒を、内筒６aと外筒６ｂとで形成し、内筒６aを連結筒に、また外筒をポンプのフード８にそれぞれ連続させている。また、この主筒６の下端部内から液体吸上げ管１０を垂下するとともに、主筒６の上部内に液体吐出弁１２を設けている。
【００２２】
この主筒６の上端部からは、射出筒１４を、また主筒６の中間部からシリンダ１６を上下２段でそれぞれ前方突設しており、更にこのシリンダ１６内にはプランジャ１８を前後摺動自在に嵌合している。また図示の射出筒１４は、主筒と一体化した射出筒本体１４aと、この本体の前部に付設されたスピン筒部１４ｂとで形成されている。更に上記射出筒１４前半部にはノズル部材１９を回動自在に装着している。
【００２３】
上記射出筒１４前半部からは、この前半部に枢着させてトリガー２０を垂下している。このトリガー２０の後面からは連結突子２２を後方突出しており、この突子の後端をプランジャ１８の前端部に抜出し不能に連結させている。
【００２４】
本発明では、トリガー２０を、操作桿２４の上端部左右両側から一対の支持腕２５を起立してこれら各支持椀の上端部を射出筒１４前半部に枢着させている。図示例の操作桿２４は、横断面コ字形で剛性を有する桿本体２４aの前面の巾方向中間部に上面開口の浅い溝２６を縦設し、この溝内に薄い帯板２４ｂを嵌め込み、この帯板の上端を溝の上端中央部に付設した爪２８で係止してなる。上記溝２６は桿本体の上下長さ略全長に亘って形成されており、これにより帯板に対する十分な嵌合力が得られる。
【００２５】
上記帯板２４ｂの上端左右両側からは、逆Ｕ字形の弾性片３０を突出し、この弾性弾性片を、トリガーの枢着箇所２１前方の射出筒部分の上面へ架け止めしている。これにより、トリガーを後方へ引いたときにプランジャ１８の後退と共に弾性片３０が引き伸ばされ、その弾性復元力により、上記連結突子２２を介してプランジャ１８を前方へ復帰するように構成している。図示例では、上記弾性片３０と帯板２４ｂとをともにエアストマーで一体に成形している。これにより、弾性変形による応力が弾性片だけでなく、帯板の上端部にも分散される。また、帯板２４ｂは滑り止めとしての機能を有する。
【００２６】
図３及び図４は、第1実施形態の変形例である。この実施例では、上記逆Ｕ字形の弾性片３０を、帯板側から突出する一対の連結板３２の先端に固定板３４を形成してなるものである。この固定板の下面には、射出筒１４の上面に対応したくぼみが付設してあり、このくぼみ内に射出筒１４上面を嵌め込んで設置している。また射出筒の上面に付設されたリブ３８とスピン筒部１４ｂの後端との間に固定板３４を固定させている。
【００２７】
本願図５から図７は、本発明の第２実施形態を示している。この実施形態では、図５に示す射出筒１４のスピン筒部１４ｂ下面に前後に開口する係合筒を形成して、この係合筒内部を係合凹部４０としている。
【００２８】
また、第１実施形態の弾性片に代えて、本実施形態の弾性片は、上記帯板２４ｂの上端から弾性屈曲板を突出するとともに、この弾性屈曲板の後面にリブを縦設し、図７に示す如くこのリブを基端部で挟持して後方突出する突起部４２を付設してなる。図示の突起部は矢印形に形成され、図６に示す係合筒の後端面に係合可能にしている。この係合により、突起部４２は上記係合凹部４０内に抜け出し不能に固定される。
【図面の簡単な説明】
【００２９】
【図１】本発明のトリガー式液体噴出ポンプの第1の実施形態の縦断面図である。
【図２】図１のポンプの要部の斜視図である。
【図３】図１のポンプの変形例を示すものである。
【図４】図３の変形例の要部拡大図を示すものである。
【図５】本発明の第２実施形態の縦断面図である。
【図６】図５の液体噴出ポンプの要部の斜視図である。
【図７】図５の液体噴出ポンプの他の要部の斜視図である。
【符号の説明】
【００３０】
２…装着筒  ４…連結筒  ６…主筒  ６a…内筒  ６ｂ…外筒  ８…フード
１０…液体吸上げ管  １２…液体吐出弁  １４…射出筒  １４a…射出筒本体
１４ｂ…スピン筒部  １６…シリンダ  １８…プランジャ
１９…ノズル部材  ２０…トリガー
２１…枢着箇所  ２２…連結突子  ２４…操作桿  ２４a…桿本体  
２４ｂ…帯板  ２５…支持腕  ２６…溝  ２８…爪  ３０…弾性片
３２…連結板  ３４…固定板  ３８…リブ
４０…係合凹部   ４２…突起部
【図１】
2008030006.tif 000003
【図２】
2008030006.tif 000004
【図３】
2008030006.tif 000005
【図４】
2008030006.tif 000006
【図５】
2008030006.tif 000007
【図６】
2008030006.tif 000008
【図７】
2008030006.tif 000009